(57)【要約】【課題】フィルタリングの設定をより柔軟に設定可能な端末システムを提供すること。【解決手段】親機は、再生するコンテンツに基づき、子機でのインターネットの検索制限を作成し、その検索制限を子機に送信する。子機は、検索制限を受信する。また、インターネット上のＷＥＢサイトに接続し、そのＷＥＢサイトを表示する表示する。また、ユーザによる検索ワードを受け付ける。検索時に検索ワードが検索制限を満たす場合は、前記検索サイトに対し検索を実行するように命令する。【選択図】図２
2013149125.tif 000002
【特許請求の範囲】
【請求項１】
第１の端末と、前記第１の端末から受信するインターネットの検索制限に従い、インターネットでの検索が制限される第２の端末とからなる端末システムであって、
前記第１の端末は、
自装置が再生するコンテンツに基づき、前記第２の端末でのインターネットの検索制限を作成する作成部と、
前記検索制限を前記第２の端末に送信する送信部と、
を備え、
前記第２の端末は、
前記検索制限を受信する受信部と、
インターネット上のＷＥＢサイトに接続可能な接続部と、
ユーザーによる検索ワードを入力可能な入力部と、
を備え、
前記検索ワードが前記受信部が受信した前記検索制限を満たす場合は、前記接続部はインターネット検索が可能な検索サイトに対し検索を実行するように命令する端末システム。
【請求項２】
前記再生するコンテンツは、デジタル教科書コンテンツであり、
前記作成部は、前記検索制限は、前記デジタル教科書コンテンツに含まれる文字情報に基づき作成する、請求項１に記載の端末システム。
【請求項３】
前記入力部が複数の検索ワードを受け付けた場合に、そのすべての検索ワードが前記検索条件を満たす場合に、前記接続部は前記検索サイトに対し検索を実行するように命令する請求項１に記載の端末システム。
【請求項４】
第１の端末と、前記第１の端末から受信するインターネットの検索制限に従い、インターネットでの検索が制限される第２の端末とからなる端末システムであって、
前記第１の端末は、
前記第２の端末でのインターネットの検索可能な時刻を示す検索可能時刻の入力を受け付ける受付部と、
前記検索可能時刻を前記第２の端末に送信する送信部と、
を備え、
前記第２の端末は、
前記検索可能時刻を受信する受信部と、
インターネット上のＷＥＢサイトに接続可能な接続部と、
ユーザーによる検索ワードを入力可能な入力部と、
時刻情報を記憶する記憶部と、
を備え、
前記記憶部が記憶する時刻情報が前記検索可能時刻を満たす場合は、前記接続部はインターネット検索が可能な検索サイトに対し検索を実行するように命令する端末システム。
【請求項５】
第１の端末と、前記第１の端末から受信するインターネットの検索制限に従い、インターネットでの検索が制限される第２の端末とからなる端末システムであって、
前記第１の端末は、
自装置の位置に関する情報である第１の位置情報を検出する検出部と、
前記第１の位置情報を前記第２の端末に送信する送信部と、
を備え、
前記第２の端末は、
前記第１の位置情報を受信する受信部と、
自装置の位置に関する情報である第２の位置情報を検出する検出部と、
インターネット上のＷＥＢサイトに接続可能な接続部と、
ユーザーによる検索ワードを入力可能な入力部と、
を備え、
前記第１の位置情報と前記第２の位置情報とが示す距離が所定の範囲内である場合は、前記接続部はインターネット検索が可能な検索サイトに対し検索を実行するように命令する端末システム。
【発明の詳細な説明】
【技術分野】
【０００１】
本発明は、端末システムに関し、特にインターネットへのアクセスのフィルタリングが可能な電子端末を含む端末システムに関する。
【背景技術】
【０００２】
従来より、Ｗｅｂアクセスに制限をかける情報処理装置が提案されている（例えば、特許文献１に記載）。特許文献１には、中継装置が、中継受信した処理要求から、キーワードを検出し、中継受信した該処理要求に応じた処理応答から、アクセス履歴情報を抽出し、そのキーワードとそのアクセス履歴情報とを関連づけて記録することにより、より効果的にＷｅｂアクセスに制限をかけている。
【０００３】
ところで、電子端末を、例えば、デジタル教科書端末として使用する場合が有る。このような電子端末においては、ユーザは電子端末に教科書を表示させながら授業を受講する。また、受講中にその電子端末を使ってインターネット検索をすることで、必要な情報を入出する。
【先行技術文献】
【特許文献】
【０００４】
【特許文献１】特開２００９−７０２９７号公報
【発明の概要】
【発明が解決しようとする課題】
【０００５】
しかし、インターネット検索にフィルタリングがかけられていない場合、例えば、以下のような問題が発生する。例えば、ユーザが受講中の授業とは関係がない情報を検索したり、テスト中にカンニング目的で検索したりする。対策として、プロキシサーバを設定することは可能であるが、その場合、フィルタリングをかける範囲を動的に変える事ができない。
【０００６】
本発明は、上記課題を解決するものであって、フィルタリングの設定をより柔軟に設定可能な端末システムを提供することにある。
【課題を解決するための手段】
【０００７】
本発明は、上記課題を解決するものであって、デジタル教科書端末（親）と、デジタル教科書端末（親）から受信するインターネットの検索制限に従い、インターネットでの検索が制限されるデジタル教科書端末（子）とからなる端末システムであって、デジタル教科書端末（親）は、自装置が再生するコンテンツに基づき、デジタル教科書端末（子）でのインターネットの検索制限を作成するシステム制御部と、検索制限をデジタル教科書端末（子）に送信するネットワーク制御部と、を備え、デジタル教科書端末（子）は、検索制限を受信し、インターネット上のＷＥＢサイトに接続可能なネットワーク制御部と、ユーザーによる検索ワードを入力可能な映像入出力制御部と、を備え、検索ワードがネットワーク制御部が受信した検索制限を満たす場合は、ネットワーク制御部はインターネット検索が可能な検索サイトに対し検索を実行するように命令する。
【発明の効果】
【０００８】
上記の構成によれば、親機により子機のインターネット検索の制限が可能な電子端末を提供できる。
【図面の簡単な説明】
【０００９】
【図１】本発明のデジタル教科書端末１００のハードウェアに係わる主要な構成の一例を示すブロック図
【図２】本発明の授業システム２００の構成例を示す図
【図３】本発明のワードリスト、プレーリストおよびタイムリストの具体例を示す図
【図４】実施の形態１に記載の授業システムのインターネット検索制御手順を説明するための図
【図５】実施の形態２に記載の授業システムのインターネット検索制御手順を説明するための図
【図６】実施の形態３に記載の授業システムのインターネット検索制御手順を説明するための図
【発明を実施するための形態】
【００１０】
以下、本発明の実施の形態について、図１から図６を用いて説明する。
【００１１】
（実施の形態１）
以下、図１から図４により、本発明が適用される第１の実施の形態におけるデジタル教科書端末１００について説明する。デジタル教科書端末１００が利用されるシステムの一例として、小学校などにおいて、デジタル教科書端末を先生と複数の生徒が利用し、インターネット検索を制御するためのシステム（以下、「授業システム」と略する）２００が構成されている。以下、授業システム２００について説明する。
【００１２】
図２は授業システム２００の構成例である。デジタル教科書端末（親）２０２、及びデジタル教科書端末（子）２０３は無線ルータ２０１に無線で接続されている。無線ルータ２０１はインターネット２０６に接続されている。従って、デジタル教科書端末（親）２０２、及びデジタル教科書端末（子）２０３は無線ルータ２０１を介してインターネットに接続し、インターネット上の情報を検索、閲覧できるように構成されている。
【００１３】
また、デジタル教科書端末（親）２０２とデジタル教科書端末（子）２０３はあらかじめ設定された親子関係を持つ。親子関係とは、親となるデジタル教科書端末と、子となるデジタル教科書端末との関係であり、親であるデジタル教科書端末（親）２０２から子であるデジタル教科書端末（子）２０３に対して、インターネット上の情報検索する際に検索の実行可否を決定する検索可否情報を送信することができる。
【００１４】
以下、本発明が適用されるデジタル教科書端末１００のハードウェア構成について、図１により説明する。図１は、デジタル教科書端末１００のハードウェアに係わる主要な構成の一例を示すブロック図である。デジタル教科書端末１００は、システム制御部１１２と、メモリフラッシュ１０４と、ネットワーク制御部１０５と、映像入出力制御部１１３と、音声制御部１１４と、ＧＰＳ１１１と、ＣＰＵバス２１３とを備えている。
【００１５】
教材コンテンツを出力する際、映像入出力制御部へ入力された指示に伴い、フラッシュメモリ１０４上の教材コンテンツをシステム制御部１１２で展開し、映像入出力制御部１１３で出力する。また、教材コンテンツに音声情報が含まれる場合は、音声制御部１１４で出力する。
【００１６】
教材コンテンツの単語を抽出する際には、システム制御部１１２で教材コンテンツ内の文字列から、単語に分解する。分解された単語は単語ＩＤを付与し、ワードリストとしてフラッシュメモリ１０４に記録する。
【００１７】
また、ネットワーク制御部１０５から受信されたワードリストはフラッシュメモリ１０４に記録する。
【００１８】
インターネット上から情報を検索する際には、映像入出力制御部１１３から入力された検索ワードとフラッシュメモリ１０４上に記録されたワードリストの単語をシステム制御部１１３で比較し、検索ワードがワードリストの単語を含んでいれば、ネットワーク制御部１０５からインターネット上の検索サイトなどに検索要求を発信する。
【００１９】
ここで、ＧＰＳ１１１は衛星から信号を受信し、現在位置を測位する。
【００２０】
システム制御部１１２はＣＰＵ１０１と、ＲＯＭ１０２と、ＲＡＭ１０３を有する。ＣＰＵ１０１は映像入出力制御部１１３に入力された指示に伴い、単語情報の抽出、検索実行可否の判断などを行う。また、ＣＰＵ１０１はタイマーを保持し、時刻情報を管理している。ＲＯＭ１０２は、たとえば電気的に書き換え可能なＥＥＰＲＯＭである。ＲＯＭ１０２には、デジタル教科書端末１００を動作させるためのコンピュータプログラムが格納されている。ＲＡＭ１０３はＣＰＵ１０１がプログラムを実行するために必要なワーク領域を有する。例えば、ＣＰＵ１０１は、ＣＰＵバス１１２を使用してＲＯＭ１０２のコンピュータプログラムをＲＡＭ１０３に読み出し、ＲＡＭ１０３のワーク領域に展開する。
【００２１】
映像入出力制御部１１３は入力受信部１０６と、映像出力部１０７と、タッチパネルＬＣＤ１０８を有する。タッチパネルＬＣＤ１０８は映像情報を出力し、人間の指で触れることで電気的な変化もしくは圧力の変化を入力として検知するモニタである。入力受信部１０６はタッチパネルＬＣＤ１０８で検知された入力をデジタル信号に変換する。映像出力部はタッチパネルＬＣＤ１０８を制御し、タッチパネルＬＣＤ１０８上に映像を出力する。
【００２２】
音声制御部１１４は音声出力部１０９と、スピーカ１１０とを有する。音声出力部１０９でアナログ変換した音声をスピーカ１１０で出力する。
【００２３】
次に図３および図４により、授業システムのインターネット検索制御手順について説明する。
【００２４】
先生４０１がデジタル教科書端末（親）４０２のタッチパネルＬＣＤ１０８に選択された教材コンテンツの中から一つを選択すると、デジタル教科書端末（親）４０２はフラッシュメモリ１０４から教材コンテンツの一部、または全てをＲＡＭ１０３に展開する。ＣＰＵ１０１でＲＡＭ１０３に展開された教材コンテンツに含まれる単語を抽出する（４０５）。例えば、選択された教材コンテンツが算数に関する教材であった場合、“円周”、“面積”、“円周率”などの単語を抽出する。この時、単語抽出に関して教材コンテンツの全ての範囲を対象とするとは限らず、デジタル教科書端末（親）４０２上に表示される範囲を対象としてもよい。デジタル教科書端末（親）４０２は抽出した各単語に対して固有の番号（以下単語ＩＤとする）を付与したワードリスト３０１をフラッシュメモリ１０４に登録する。また、ワードリスト３０１を検索可否情報として、デジタル教科書端末（子）４０４にネットワーク制御部を用いて送信する。その後、先生４０１が選択した教材コンテンツがデジタル教科書端末（親）のタッチパネルＬＣＤ１０８上に表示される（４０６）。一方、生徒４０３は、先生４０１と同様にデジタル教科書端末（子）４０４のタッチパネルＬＣＤ１０８で教材コンテンツを選択すると、タッチパネルＬＣＤ１０８に教材コンテンツが表示される（４０８）ため、生徒４０３が教材コンテンツを閲覧する（４１３）。ここで、デジタル教科書端末（親）４０２から送信されたワードリストをデジタル教科書端末（子）４０４がネットワーク制御部で受信した場合、デジタル教科書端末（子）のフラッシュメモリ１０４に登録する（４０９）。既にワードリストが登録されている場合は、追加登録する。
【００２５】
その後、生徒４０３がインターネット上の情報を検索するためにデジタル教科書端末（子）４０４のタッチパネルＬＣＤ１０８で検索ワードを入力する。デジタル教科書端末（子）４０４はフラッシュメモリ１０４に登録されたワードリストを参照し、検索ワードにワードリスト内の単語が含まれるか否かをＣＰＵ１０１で判定する（４１０）。検索ワードにワードリスト内の単語が含まれていた場合、インターネット検索を実行する。検索ワードにワードリスト内の単語が含まれていなかった場合はインターネット検索を実行しない。例えば、生徒４０３が“円周の求め方”という検索ワードで検索しようとした場合、ワードリスト３０１には“円周”という単語が存在するため、インターネット検索が実行される。生徒４０３が“マンガ”という検索ワードで検索しようとした場合には、検索ワードにワードリスト３０１の単語を含まないため、インターネット検索が実行されない。
【００２６】
先生４０１がデジタル教科書端末（親）４０２のタッチパネルＬＣＤ１０８に教材コンテンツの終了を指示すると、タッチパネルＬＣＤ１０８に出力されていた教材コンテンツが終了する。その際、デジタル教科書端末（親）４０２は４０５で抽出した単語に該当する単語ＩＤをデジタル教科書端末（子）４０４にネットワーク制御部１０５を利用して送信する。デジタル教科書端末（子）４０４はネットワーク制御部１０５で単語ＩＤを受信すると、フラッシュメモリ１０４上のワードリストから受信した単語ＩＤに該当する項目を削除する。以降、削除された項目は検索可否情報として参照されない。
【００２７】
以上の通り、本発明の第１の実施の形態におけるデジタル教科書端末１００を使用すれば、デジタル教科書端末（親）２０２が教材コンテンツからインターネット検索可能な単語情報を抽出し、デジタル教科書端末（子）へ指示することで、デジタル教科書端末（子）２０３が自身でインターネット検索の可否を制御することが可能となる。
【００２８】
（実施の形態２）
以下、本発明が適用される第２の実施の形態におけるデジタル教科書端末１００について説明する。授業システム構成とデジタル教科書端末１００のハードウェア構成の説明は省略し、以下、図１と図３および図５により、授業システムのインターネット検索制御手順について説明する。
【００２９】
先生５０１がデジタル教科書端末（親）５０２のタッチパネルＬＣＤ１０８に、授業時間として授業の開始時間と終了時間を入力する。例えば、授業が２０１１年１０月２９日の９：００から９：４５までであった場合には、開始時間として２０１１年１０月２９日の９：００、終了時間として２０１１年１０月２９日の９：４５を入力する。この時、年月日の指定が不要であれば入力しなくてもよい。デジタル教科書端末（親）５０２は入力された授業時間に対して固有の番号（以下、時間ＩＤとする）を付与したタイムリスト３０２をフラッシュメモリ１０４に登録するとともに、タイムリスト３０２を検索可否情報としてネットワーク制御部１０５を利用してデジタル教科書端末（子）５０４に送信する。デジタル教科書端末（親）５０２から送信されたタイムリスト３０２をデジタル教科書端末（子）５０４がネットワーク制御部１０５で受信すると、デジタル教科書端末（子）５０４のフラッシュメモリ１０４に登録する（５０６）。既にタイムリストが登録されている場合は、追加登録する。
【００３０】
生徒５０３がデジタル教科書端末（子）５０４のタッチパネルＬＣＤ１０８で教材コンテンツを選択すると、タッチパネルＬＣＤ１０８に教材コンテンツが表示される（５０７）ため、生徒５０３は教材コンテンツを閲覧する（５１０）。
【００３１】
その後、生徒５０３がインターネット上の情報を検索するためにデジタル教科書端末（子）５０４のタッチパネルＬＣＤ１０８で検索ワードを入力する。デジタル教科書端末（子）５０４はフラッシュメモリ１０４に登録されたタイムリストを参照し、デジタル教科書端末（子）５０４のＣＰＵ１０１が保持するタイマーの現在時刻がタイムリストの授業時間の範囲内か否かをＣＰＵ１０１で判定する（５０８）。範囲内であれば、インターネット検索を実行する。範囲外であれば、インターネット検索を実行しない。例えば、現在時刻が２０１１年１０月２９日の９：１５であった場合には、タイムリストの授業時間の範囲内であるため、インターネット検索が実行される。現在時刻が２０１１年１０月２９日の１０：００であった場合には、タイムリストの授業時間の範囲外であるため、インターネット検索が実行されない。
【００３２】
デジタル教科書端末（子）５０４が保持するタイマーの現在時刻がタイムリストの授業時間よりも後であれば、該当するタイムリストの授業時間をフラッシュメモリ１０４から削除してもよい。また、デジタル教科書端末（親）５０２から時間ＩＤを指定した削除命令を、デジタル教科書端末（子）５０４にネットワーク制御部を利用して送信してもよい。その場合、デジタル教科書端末（子）５０４のタイムリストとしてフラッシュメモリ１０４に登録された指定の時間ＩＤと一致する授業時間を削除することもできる。
【００３３】
以上の通り、本発明の第２の実施の形態におけるデジタル教科書端末１００を使用すれば、デジタル教科書端末（親）２０２が指定した授業時間により、デジタル教科書端末（子）の現在時刻に応じて、デジタル教科書端末（子）２０３が自身でインターネット検索の可否を制御することが可能となる。
【００３４】
（実施の形態３）
以下、本発明が適用される第３の実施の形態におけるデジタル教科書端末１００について説明する。授業システム構成とデジタル教科書端末１００のハードウェア構成の説明は省略し、以下、図１と図３および図６により、授業システムのインターネット検索制御手順について説明する。
【００３５】
先生６０１がデジタル教科書端末（親）６０２のタッチパネルＬＣＤ１０８に現在位置からの制限距離を入力する。例えば、インターネット検索を学校内のみに制限したい場合は、校内の距離を概算した２００メートルなどの値を入力する。デジタル教科書端末（親）６０２はＧＰＳ１１１を利用して現在位置を取得し（６０５）、取得した現在位置と入力された制限距離の組を場所情報として固有の番号（以下、場所ＩＤ）を付与したプレースリスト３０３をフラッシュメモリ１０４に登録する。デジタル教科書端末（親）６０２は登録したプレースリスト３０３を検索可否情報としてネットワーク制御部１０５からデジタル教科書端末（子）６０４に送信する。
【００３６】
一方、生徒６０３がデジタル教科書端末（子）６０４のタッチパネルＬＣＤ１０８で教材コンテンツを選択すると、タッチパネルＬＣＤ１０８に教材コンテンツが表示される（６０７）ため、生徒６０３は教材コンテンツを閲覧する（６１２）。デジタル教科書端末（親）６０２から送信されたプレースリスト３０３をデジタル教科書端末（子）６０４がネットワーク制御部で受信すると、デジタル教科書端末（子）６０４のフラッシュメモリに登録する（６０８）。既にプレースリスト３０３が登録されている場合は、追加登録する。
【００３７】
その後、生徒６０３がインターネット上の情報を検索するためにデジタル教科書端末（子）６０４のタッチパネルＬＣＤに検索ワードを入力する。デジタル教科書端末（子）６０４はＧＰＳ１１１を利用して現在位置を取得し、フラッシュメモリ１０４に登録されたプレースリスト３０３を参照する。デジタル教科書端末（子）６０４の現在位置が、プレースリスト３０３の場所情報の範囲内か否かをＣＰＵ１０１で判定する（６０８）。範囲内であれば、インターネット検索を実行する。範囲外であれば、インターネット検索を実行しない。例えば、現在位置が“大阪府門真市松生町１−１５”の地点から１５０メートルの位置である場合には、プレースリスト３０３の場所情報の範囲内であるため、インターネット検索が実行される。現在位置が“大阪府門真市松生町１−１５”の地点から５００メートルの位置である場合には、プレースリスト３０３の場所情報の範囲外であるためインターネット検索は実行されない。
【００３８】
デジタル教科書端末（親）６０２から場所ＩＤを指定した削除命令を、デジタル教科書端末（子）５０４にネットワーク制御部を利用して送信すると、デジタル教科書端末（子）６０４のフラッシュメモリ１０４に登録された指定の場所ＩＤと一致するプレースリストの場所情報を削除することができる。
【００３９】
以上の通り、本発明の第３の実施の形態におけるデジタル教科書端末１００を使用すれば、デジタル教科書端末（親）２０２が指定した場所情報により、デジタル教科書端末（子）の場所に応じて、デジタル教科書端末（子）２０３が自身でインターネット検索の可否を制御することが可能となる。
【産業上の利用可能性】
【００４０】
本発明は、電子端末に関し、特にインターネットへのアクセスのフィルタリングが可能な電子端末に関するものであって、より柔軟にフィルタリングの設定が可能な電子端末を提供できる。
【符号の説明】
【００４１】
１００    デジタル教科書端末
１０１    ＣＰＵ
１０２    ＲＯＭ
１０３    ＲＡＭ
１０４    フラッシュメモリ
１０５    ネットワーク制御部
１０６    入力受信部
１０７    映像出力部
１０８    タッチパネルＬＣＤ
１０９    音声出力部
１１０    スピーカ
１１１    ＧＰＳ
１１２    システム制御部
１１３    映像入出力制御部
１１４    音声制御部
２００    授業システム
２０１    無線ルータ
２０２    デジタル教科書端末（親）
２０３    デジタル教科書端末（子）
２０４    デジタル教科書端末（子）
２０５    デジタル教科書端末（子）
２０６    インターネット
【図１】
2013149125.tif 000003
【図２】
2013149125.tif 000004
【図３】
2013149125.tif 000005
【図４】
2013149125.tif 000006
【図５】
2013149125.tif 000007
【図６】
2013149125.tif 000008